(57)【要約】【課題】物干し支持具を使用しない場合は比較的容易に取り外すことができ、更に、支持部の向きが調整自在向で、且つ所望の方向に向けた状態で固定することができる機能を具備し、極めて簡易な構成で低コストに製造でき、市場に安価に提供することができる物干し支持具を提供する。【解決手段】天井面１に取付固定する固定板部２と、この固定板部２に吊設する吊下体３とで構成する物干し支持具であって、前記吊下体３の一端に前記固定板部２と係止する係止部４を設け他端に物干し竿などの支持物５を支持する支持部６を設け、この吊下体３を前記固定板部２に回動自在に吊設して前記支持部６の向きを調整自在にすると共にこの支持部６を所望の方向に向けた状態で固定する支持部方向固定機構を備えた物干し支持具。【選択図】図１
2011136086.tif 000002
【特許請求の範囲】
【請求項１】
天井面に取付固定する固定板部と、この固定板部に吊設する吊下体とで構成する物干し支持具であって、前記吊下体の一端に前記固定板部と係止する係止部を設け他端に物干し竿などの支持物を支持する支持部を設け、前記吊下体を前記固定板部に回動自在に吊設して前記支持部の向きを調整自在にすると共にこの支持部を所望の方向に向けた状態で固定する支持部方向固定機構を備えたことを特徴とする物干し支持具。
【請求項２】
前記支持部方向固定機構は、前記固定板部に固定板部側連通孔を設け、前記係止部に係止部側連通孔を設け、前記支持部を所望の方向に向けて前記固定板部側連通孔と前記係止部側連通孔とを連通状態とし、この連通状態の前記固定板部側連通孔と前記係止部側連通孔とに固定部材を挿入して前記支持部の方向を固定することを特徴とした請求項１記載の物干し支持具。
【請求項３】
前記係止部は、複数の前記係止部側連通孔を設け、この複数の係止部側連通孔のいずれかを選択することで前記支持部を所望の方向に向けた状態で固定することができることを特徴とした請求項２記載の物干し支持具。
【請求項４】
前記支持部方向固定機構は、前記固定板部側連通孔と前記係止部側連通孔の少なくとも一方の孔を螺子孔とし、この螺子孔に前記固定部材を螺着して前記支持部の方向を固定することを特徴とした請求項２，３のいずれか１項に記載の物干し支持具。
【請求項５】
前記固定板部は、金属板材を折曲して凹状の支持部収納部と水平取付板部を形成し、前記支持部収納部の底面に前記係止部を抜け止め係止したことを特徴とする請求項１〜４のいずれか１項に記載の物干し支持具。
【請求項６】
前記支持部収納部は、底面に一端が開口するスライド溝部を設けて前記吊下体を着脱自在に設けたことを特徴とする請求項５記載の物干し支持具。
【請求項７】
前記支持部収納部は、底面に前記吊下体を貫通する貫通孔を設けたことを特徴とする請求項５記載の物干し支持具。
【発明の詳細な説明】
【技術分野】
【０００１】
本発明は、物干し竿やハンガーなどを支持する物干し支持具に関するものである。
【背景技術】
【０００２】
従来、室内で洗濯物などを干す場合において、洗濯物を掛ける物干し竿を支持する物干し支持具は、様々なものが提案されており、特に、吊り下げ状態の物干し支持具にぶつかってけがをしないように安全面を考慮し、または室内の美観を損ねないため、物干し支持具自体を昇降自在に設けて洗濯物を干すときは天井から物干し支持具が降りてきて、洗濯物を干さないときは天井に収納状態となるものや、物干し支持具の吊下体が取り外し自在になっており、洗濯物を干すときには固定板部に吊下体を差し込むだけで取り付け出来て物干し竿を架設することができるようになり、洗濯物を干さないときは吊下体を容易に取り外すことができ、更に、吊下体の向きも調整自在になっているものもある。
【０００３】
しかし、このような物干し支持具は、昇降機構が複雑であったり、また、簡易に吊下体を着脱自在に設けるための機構が複雑であったりして、そのため、製造コストもかかり、よって、市場に提供される際の価格は高価なものとなっている。
【０００４】
また、上述した高機能で高価なものに対して、簡易な構成で安価に提供される物干し支持具も提案されているが、安価であるが故に機能性に乏しく、支持部の向きが一方向にしか固定できないので、設置位置が限定されるなどの不具合があった。
【発明の概要】
【発明が解決しようとする課題】
【０００５】
そこで、本発明は、物干し支持具を使用しない場合は比較的容易に取り外すことができ、更に、支持部の向きが調整自在向で、且つ所望の方向に向けた状態で固定することができる機能を具備し、極めて簡易な構成で低コストに製造でき、市場に安価に提供することができる物干し支持具を提供することを目的とする。
【課題を解決するための手段】
【０００６】
添付図面を参照して本発明の要旨を説明する。
【０００７】
天井面１に取付固定する固定板部２と、この固定板部２に吊設する吊下体３とで構成する物干し支持具であって、前記吊下体３の一端に前記固定板部２と係止する係止部４を設け他端に物干し竿などの支持物５を支持する支持部６を設け、この吊下体３を前記固定板部２に回動自在に吊設して前記支持部６の向きを調整自在にすると共にこの支持部６を所望の方向に向けた状態で固定する支持部方向固定機構を備えたことを特徴とする物干し支持具に係るものである。
【０００８】
また、前記支持部方向固定機構は、前記固定板部２に固定板部側連通孔７を設け、前記係止部４に係止部側連通孔８を設け、前記支持部６を所望の方向に向けて前記固定板部側連通孔７と前記係止部側連通孔８とを連通状態とし、この連通状態の前記固定板部側連通孔７と前記係止部側連通孔８とに固定部材９を挿入して前記支持部６の方向を固定することを特徴とした請求項１記載の物干し支持具に係るものである。
【０００９】
また、前記係止部４は、複数の前記係止部側連通孔８を設け、この複数の係止部側連通孔８のいずれかを選択することで前記支持部６を所望の方向に向けた状態で固定することができることを特徴とした請求項２記載の物干し支持具に係るものである。
【００１０】
また、前記支持部方向固定機構は、前記固定板部側連通孔７と前記係止部側連通孔８の少なくとも一方の孔を螺子孔とし、この螺子孔に前記固定部材９を螺着して前記支持部６の方向を固定することを特徴とした請求項２，３のいずれか１項に記載の物干し支持具に係るものである。
【００１１】
また、前記固定板部２は、金属板材を折曲して凹状の支持部収納部10と水平取付板部11を形成し、前記支持部収納部10の底面に前記係止部４を抜け止め係止したことを特徴とする請求項１〜４のいずれか１項に記載の物干し支持具に係るものである。
【００１２】
また、前記支持部収納部10は、底面に一端が開口するスライド溝部12を設けて前記吊下体３を着脱自在に設けたことを特徴とする請求項５記載の物干し支持具に係るものである。
【００１３】
また、前記支持部収納部10は、底面に前記吊下体３を貫通する貫通孔13を設けたことを特徴とする請求項５記載の物干し支持具に係るものである。
【発明の効果】
【００１４】
本発明は上述のように構成したから、天井面に取り付けた固定板部から吊下した吊下体の支持部で物干し竿などの支持物を支持することができ、しかも、天井面に取り付けた固定板部の取付方向を変えずに支持部の向きを所望の方向に向けることができ、更に、支持部を所望の方向に向けた状態で固定することができる物干し支持具を極めて簡易な構成で且つ低コストで容易に製造可能な実用性且つ費用対性能比率（コストパフォーマンス）に優れた画期的な物干し支持具となる。
【００１５】
また、請求項２，３，４記載の発明においては、支持部の方向を固定する支持部方向固定機構を極めて簡易な構成で実現できるので、極めて低コストで容易に製造可能な生産性に優れた物干し支持具となる。
【００１６】
また、請求項５記載の発明においては、固定板部を極めて簡易な構成で容易に実現可能とした生産性に優れた物干し支持具となる。
【００１７】
また、請求項６記載の発明においては、固定板部に吊下体を着脱自在に設けたから、物干し支持具を使用しない場合は容易に取り外すことができるので、垂れ下がっている物干し支持具に不注意にぶつかってけがをすることがなく、また、室内の美観も損ねない実用性に優れた物干し支持具となる。
【００１８】
また、請求項７記載の発明においては、極めて簡易な構成で固定板部に吊下体を吊設できる極めて設計実現容易な物干し支持具となる。
【図面の簡単な説明】
【００１９】
【図１】実施例１を示す分解斜視図である。
【図２】実施例１を示す斜視図である。
【図３】実施例１を天井面に取り付けた際の固定板部を示す説明正断面図である。
【図４】実施例１を天井面に取り付けた際の固定板部を示す説明側断面図である。
【図５】実施例１の使用状態を示す説明斜視図である。
【図６】実施例２を示す分解斜視図である。
【図７】実施例２を示す斜視図である。
【図８】実施例２を天井面に取り付けた際の固定板部を示す説明正断面図である。
【図９】実施例２を天井面に取り付けた際の固定板部を示す説明側断面図である。
【図１０】実施例２の使用状態を示す説明斜視図である。
【発明を実施するための形態】
【００２０】
好適と考える本発明の実施形態を、図面に基づいて本発明の作用を示して簡単に説明する。
【００２１】
固定板部２を天井面１に取り付け、この固定板部２に吊下体３の係止部４を係止し吊下体３を回動自在に吊設し、若しくは固定板部２に吊下体３を回動自在に設けた状態で、固定板部２を天井面１に取り付けて吊下体３を回動自在に吊設する。
【００２２】
更に、この吊下体３に設けた支持部６を所望の方向に向くように向きを調整し、支持部６が所望の方向に向いた状態で、支持部方向固定機構を用いて固定する。
【００２３】
しかも、この支持部方向固定機構は、例えば、固定板部２に固定板部側連通孔７を設け、吊下体３の係止部４に係止部側連通孔８を設け、固定板部２の固定板部側連通孔７と、この固定板部２に係止する係止部４の係止部側連通孔８とを連通状態とした連通孔に固定部材９を挿入するだけの極めて簡易な構成で吊下体３を回動不能状態とすることによって支持部６の方向を固定するので、極めて容易に支持部６を所望の方向に向けて固定することができる。
【００２４】
しかも、例えば、固定板部２に凹状の支持部収納部10を形成し、この支持部収納部10の底面に一端が開口するスライド溝部12を設けて吊下体３を着脱自在に設けた構成とすれば、物干し支持具を使用しない場合は容易に取り外すことができるので、物干し支持具にぶつかってけがをすることがなく、また、室内の美観も損ねないので、極めて簡易な構成で且つ低コストで容易に製造可能な実用性且つ費用対性能比率（コストパフォーマンス）に優れた画期的な物干し支持具となる。
【実施例１】
【００２５】
本発明の具体的な実施例１について図１〜図５に基づいて説明する。
【００２６】
本実施例は、天井面１に取付固定する固定板部２と、この固定板部２に吊設する吊下体３とで構成する物干し支持具である。
【００２７】
具体的には、吊下体３の一端に固定板部２と係止する係止部４を設け他端に物干し竿などの支持物５を支持する支持部６を設け、この吊下体３を固定板部２に回動自在に吊設して支持部６の向きを調整自在にすると共にこの支持部６を所望の方向に向けた状態で固定する支持部方向固定機構を備えたことを特徴とする物干し支持具である。
【００２８】
各構成部を更に詳しく説明すると、固定板部２は、家屋の天井板を取り付けるための野縁14の幅（一般的には５ｃｍ程度の幅）と略同等の幅に形成した金属板材を折曲して凹状の支持部収納部10と、この支持部収納部10の両端部から外側に向けて水平状態に水平取付板部11を突設した形状に形成している。
【００２９】
また、凹状の支持部収納部10の底面に、後述する吊下体３を水平方向にスライドさせてこの支持部収納部10に着脱自在に設けるための出入り口となる一端が開口し他端が閉塞しているスライド溝部12を、固定板部２の長手方向と直交する方向に一直線状に形成し、また、後述する支持部方向固定機構を構成する固定板部側連通孔７を形成している。
【００３０】
スライド溝部12は、吊下体３の棒状部15の径（太さ）と略同等の溝幅に形成し、また、スライド溝部12の他端側の閉塞部、即ち、スライド溝部12に吊下体３をスライドさせた際に行き止まりとなる位置が支持部収納部10の底面の中央に位置するように形成している。
【００３１】
また、水平取付板部11は、凹状に形成した支持部収納部10の底面から上方に向って末広がりとなる傾斜状態に突設した両側面の夫々の端部から外側に向けて水平状態に設けられ、この水平取付板部11の表面に天井面１に取付固定する取付螺子17を貫通する取付螺子孔16を形成している。
【００３２】
また、このように形成した固定板部２と係合しこの固定板部２に吊設する吊下体３は、棒状の金属材の一端に固定板部２に設けた支持部収納部10に収納され、この支持部収納部10の底面に係止する係止部４を設け、他端に物干し竿などの支持物５を支持する支持部６を設けた構成としている。
【００３３】
具体的には、係止部４は、金属板材を円盤状に形成し、この円盤状の係止部４に支持部方向固定機構を構成する円孔状の係止部側連通孔８を東西南北の各方向に一つずつ、合計四つ設けている。
【００３４】
このように、係止部４を円盤状に形成することによって、吊下体３を回動させた際に係止部４が固定板部２からはみ出ずに回動する最も広い面積と有した形状となり、従って、係止部４と固定板部２（支持部収納部10の底面）との係合面積を広く取ることで係止部４が安定して係止するので、吊下体３がぐらつかず物干し竿などの支持物５を支持した際にも安定して支持することができる。
【００３５】
また、この係止部側連通孔８は、孔の内面に後述する固定部材９を螺着する雌螺子を形成している。
【００３６】
尚、本実施例では、係止部側連通孔８を円孔に形成しているが、係止部４の円盤形状に沿った形状の長孔に形成したり、また、係止部側連通孔８の数を増やして設置間隔を密な状態（例えば、係止部側連通孔８の数を八つにして、４５°の等間隔で設置した状態）とすることで、より支持部６の方向を微調整することができる。
【００３７】
また、支持部６は、棒状の金属材である吊下体３をＣ形状に折曲して一体成形している。尚、この支持部６の形状は、物干し竿などの支持物５を支持することができ、更に、物干しハンガーや通常のハンガーなどを引っ掛けて吊るすことが出来る形状（例えば、円形状やＬ字形状やＵ字形状など）であれば適宜採用するものである。
【００３８】
また、この支持部６を所望の方向に向けた状態で固定する支持部方向固定機構は、前述した固定板部側連通孔７と係止部側連通孔８及び固定部材９とで構成している。
【００３９】
具体的には、固定板部２の支持部収納部10の底面に係止部４を係止し、固定板部２に設けた固定板部側連通孔７と、係止部４の四箇所に設けた係止部側連通孔８のうち、支持部６を所望の方向に向けた状態にする係止部側連通孔８とを連通状態にし、この連通状態の固定板部側連通孔７と係止部側連通孔８とに固定部材９を挿入して吊下体３を回動不能状態とすることで、支持部６の方向を固定している。
【００４０】
この吊下体３を回動不能状態とする固定部材９は、雄螺子を用いており、この雄螺子を係止部側連通孔８に螺着している。
【００４１】
尚、本実施例例では、吊下体３に係止部４を溶接して設けているが、例えば、吊下体３の一端（先端）と係止部４とを螺着する構成としても良く、また、更に吊下体３の棒状部の長さは、固定板部２を固定する天井面１の高さや使用者の作業位置（洗濯物を干す際の高さ）などによって適宜変更可能となるように棒状部15の長さの異なる吊下体３を複数具備した構成としても良い。
【００４２】
本実施例は、上述のように構成したから、次の作用効果を有する。
【００４３】
本実施例を室内の天井面１に取り付ける場合、先ず固定板部２を天井面１の裏面に架設状態に張られている野縁14（野縁14とは、天井板を取り付けるための下地材で幅細の板材などのことである。）に沿って取付螺子17で固定する。
【００４４】
この天井面１に固定した固定板部２の支持部収納部10に設けたスライド溝部12に沿って吊下体３を水平方向にスライド挿入し、係止部４を支持部収納部10に収納状態とすることで、この係止部４が支持部収納部10の底面に対して抜け止め係止状態となり、固定板部２に吊下体３を着脱自在且つ回動自在に吊設した状態となる。
【００４５】
この着脱自在且つ回動自在に吊設した吊下体３の下端に設けた支持部６を所望の方向に向くように向きを調整する。尚、本実施例では、支持部６の向きを東西南北方向に設定できるように四つの係止部側連通孔８を配置しているので、これらのいずれかの係止部側連通孔８と固定板部２の固定板部側連通孔７とを合わせた状態の所望の方向に調整する。
【００４６】
支持部６の方向が決定したら、固定板部側連通孔７と係止部側連通孔８が連通状態となった連通孔に固定部材９を螺着して、吊下体３を回動不能状態とすることで支持部６の方向が固定され、また、吊下体３も固定板部２に固定された状態となる。
【００４７】
これを対向状態に設けることで物干し竿を支持部６に支持状態で架設することができ、また、一箇所だけ設けて、ハンガーなどを吊下げても良い。
【００４８】
このように本実施例は、固定板部２に吊下体３を着脱自在に吊設し、これを一本の固定部材９で螺着して固定しただけなので、この固定部材９を外して固定板部２から吊下体３を取り外すことが容易にできるので、使用しない場合は、固定板部２から吊下体３を取り外しておくことで物干し支持具にぶつかってけがをすることがなく、また、室内の美観も損ねない機能性に優れた物干し支持具となる。
【００４９】
また、支持部６の方向を所望の方向に調整してから固定するので、図５に示すように、野縁14の方向が一方向に設置された状況でも、物干し支持具の取り付け方向を自在に変更できる実用性に優れた物干し支持具となる。
【００５０】
このように本実施例は、優れた機能を具備し、実用性に優れた物干し支持具を極めて簡易な構成で実現できるので、極めて低コストで且つ容易に製造可能となり生産性及び費用対性能比率（コストパフォーマンス）に優れた画期的な物干し支持具となる。
【実施例２】
【００５１】
本発明の具体的な実施例２について図６〜図１０に基づいて説明する。
【００５２】
本実施例は、実施例１と同様の物干し支持具であるが、実施例１と同様の吊下体３を具備し、固定板部２の構成が異なったものである。
【００５３】
具体的な異なる点は、凹状の支持部収納部10の底面に、実施例１ではスライド溝部12を形成しているが、このスライド溝部12の代わりに吊下体３を貫通する貫通孔13を形成している点であり、その余の構成は、実施例１と同様である。
【００５４】
また、貫通孔13は、支持部収納部10の底面中央に吊下体３の棒状部15の径と略同等の直径を有する円形状に形成している。
【００５５】
従って、本実施例は、上述のように構成したから、次の作用効果を有する。
【００５６】
本実施例を室内の天井面１に取り付ける場合、先ず固定板部２の支持部収納部10の底面に形成した貫通孔13に、吊下体３を貫通状態にし、吊下体３の係止部４を固定板部２の支持部収納部10に収納状態とした状態で固定板部２を天井面１の裏面に架設状態に張られている野縁14（野縁14とは、天井板を取り付けるための下地材で幅細の板材などのことである。）に沿って取付螺子17で固定する。
【００５７】
従って、固定板部２を天井面１に取付固定しただけで、吊下体３を回動自在に吊設でき、また、この吊下体３は、固定板部２に対して引き抜き不能状態となるので、吊下体３自体を固定板部２固定しなくとも、固定板部２から抜け落ちる心配が無い。
【００５８】
また、実施例１と同様の支持部方向固定機構を具備しているので、固定板部側連通孔７と係止部側連通孔８とを連通状態にして固定部材９を螺着することで、支持部６を東西南北方向のいずれかの所望の方向に固定することができる。
【００５９】
このように本実施例は、優れた機能を具備し、実用性に優れた物干し支持具を極めて簡易な構成で実現できるので、極めて低コストで且つ容易に製造可能となり生産性及び費用対性能比率（コストパフォーマンス）に優れた画期的な物干し支持具となる。
【００６０】
尚、本発明は、実施例１，２に限られるものではなく、各構成要件の具体的構成は適宜設計し得るものである。
【符号の説明】
【００６１】
１  天井面
２  固定板部
３  吊下体
４  係止部
５  支持物
６  支持部
７  固定板部側連通孔
８  係止部側連通孔
９  固定部材
10  支持部収納部
11  水平取付板部
12  スライド溝部
13  貫通孔
【図１】
2011136086.tif 000003
【図２】
2011136086.tif 000004
【図３】
2011136086.tif 000005
【図４】
2011136086.tif 000006
【図５】
2011136086.tif 000007
【図６】
2011136086.tif 000008
【図７】
2011136086.tif 000009
【図８】
2011136086.tif 000010
【図９】
2011136086.tif 000011
【図１０】
2011136086.tif 000012